(57)【要約】【課題】セキュリティの高いロック機構を備えたロックシステムを提供する。【解決手段】携帯型端末装置９６は、時間を算出し、時間とその時間においてパチンコ遊技機１０を施錠若しくは解錠を行うための固有情報とが対応して設けられた固有情報テーブルを記憶し、算出された時間と固有情報テーブルとに基づいて固有情報を供給する。パチンコ遊技機１０は、時間とその時間において照合を行うための認証情報とが対応して設けられた認証情報テーブルを記憶しており、携帯型端末装置９６から供給された固有情報と認証情報テーブルとに基づいて、固有情報と認証情報とを照合する。その結果に基づいて、扉１０４を本体部１０２に対して施錠若しくは解錠する機能を有する。【選択図】　　図１３
2004105552.tif 000002
【特許請求の範囲】
【請求項１】
凹部が設けられた本体と、当該本体における凹部を覆うように当該本体に装着された装着体と、当該装着体を前記本体に対して施錠若しくは解錠可能とするロック機構と、を備えたロック装置と、携帯型端末装置と、が無線通信可能な状態に接続されたロックシステムであって、
前記携帯型端末装置は、時間を算出する時間算出手段と、時間と当該時間において前記ロック装置の前記ロック機構を施錠若しくは解錠を行うための固有情報とが対応して設けられた固有情報テーブルを記憶する固有情報記憶手段と、前記時間算出手段により算出された時間と、前記固有情報記憶手段により記憶されている固有情報テーブルと、に基づいて、当該固有情報テーブルに含まれる複数の固有情報から、当該時間算出手段により算出された時間に対応する固有情報を決定する固有情報決定手段と、前記固有情報決定手段により決定された固有情報を前記ロック装置に供給する固有情報供給手段と、を備えたものであり、かつ、
前記ロック装置は、時間と当該時間において照合を行うための認証情報とが対応して設けられた認証情報テーブルを記憶する認証情報記憶手段と、前記携帯型端末装置から供給された固有情報と、前記認証情報記憶手段により記憶された認証情報テーブルと、に基づいて、固有情報と認証情報とを照合する照合手段と、を備えたものであり、かつ、
前記ロック装置における前記ロック機構は、前記ロック装置における前記照合手段により照合された結果に基づいて、前記装着体を前記本体に対して施錠若しくは解錠する機能を有することを特徴とするロックシステム。
【請求項２】
前記携帯型端末装置は、携帯電話機であることを特徴とする請求項１記載のロックシステム。
【請求項３】
前記ロック装置は、遊技機であることを特徴とする請求項１又は２記載のロックシステム。
【請求項４】
凹部が設けられた本体と、当該本体における凹部を覆うように当該本体に装着された装着体と、を備えたロック装置に対して、当該装着体を前記本体に対して施錠若しくは解錠可能とせしめるロック動作ステップと、携帯型端末装置と無線通信可能な状態に接続せしめる無線通信ステップと、を実行させるプログラムであって、
前記携帯型端末装置に対して、時間を算出せしめる時間算出ステップと、時間と当該時間において前記ロック装置の前記ロック機構を施錠若しくは解錠を行うための固有情報とが対応して設けられた固有情報テーブルを記憶せしめる固有情報記憶ステップと、前記時間算出ステップにより算出された時間と、前記固有情報記憶ステップにより記憶されている前記固有情報テーブルと、に基づいて、当該固有情報テーブルに含まれる複数の固有情報から、当該時間算出ステップにより算出された時間に対応する固有情報を決定せしめる固有情報決定ステップと、前記固有情報決定ステップにより決定された固有情報を前記ロック装置に供給せしめる固有情報供給ステップと、を実行させるものであり、かつ、
前記ロック装置に対して、時間と当該時間において照合を行うための認証情報とが対応して設けられた認証情報テーブルを記憶せしめる認証情報記憶ステップと、前記携帯型端末装置から供給された固有情報と、前記認証情報記憶ステップにより記憶された認証情報テーブルと、に基づいて、固有情報と認証情報とを照合する照合ステップと、を実行させるものであり、かつ、
前記ロック動作ステップは、前記照合ステップにより照合された結果に基づいて、前記装着体を前記本体に対して施錠若しくは解錠せしめることを特徴とするプログラム。
【発明の詳細な説明】
【０００１】
【発明の属する技術分野】
本発明は、ロックシステム及びプログラムに関するものである。
【０００２】
【従来の技術】
従来、ロックシステムには、凹部を設けた本体と、その本体における凹部を覆うようにその本体に装着された扉と、その扉を本体に対して施錠若しくは解錠可能とするロック機構と、を備えたロック装置に対して、鍵を開閉操作することにより、その凹部の機密性を保つものであった。
【０００３】
このようなロック装置には、鍵を鍵穴に挿入し、回転させることにより、施錠若しくは解錠可能とされたものや、ＩＤ情報を磁気記憶させたＩＤカードを挿脱することにより、施錠若しくは解錠可能とされたもの等、各種のものが提案されてきている。
【０００４】
その中でも、カードを用いたパチンコ遊技中に遊技を一時中断しその場から離れる場合、第三者の該カードの不正利用、第三者による該カードの盗難を防止し、かつ利用者のカード管理を回避するカード処理装置が提案されており（例えば、特許文献１参照）、カードに暗証番号を設定した後、カードロックボタンを押下することによりロックされる。
【０００５】
【特許文献１】
特開２００２−２４５４２１号公報（第４−５頁、第３図）
【０００６】
【発明が解決しようとする課題】
しかしながら、このようなロックシステムにおいては、暗証番号等のパスワードを入力するための操作を行う際に、その操作を他の者に見られるおそれがあり、充分なセキュリティとはいえない。
【０００７】
また、パスワード方式のロックシステムにおいては、一度パスワード等が知られてしまった場合には、何度となく解錠、施錠を繰り返し行われるおそれがあり、パスワードが知られてしまったことが発覚したときには、すでに被害が大きいことが多い。このように、所定のパスワードによるロックシステムには、致命的な欠点があり、充分なセキュリティとは云いきれない。
【０００８】
更には、このようなロックシステムを用いる操作者は、パスワード等を覚える必要があり、煩雑である。更には、それだけではなく、内蔵されるものの機密性が高ければ高いほど、パスワードを知らせることができる者は少なくなる。この両面から考えても、どのような者に対しても知らせることができるわけでないという欠点があった。
【０００９】
本発明におけるロックシステムは、これに伴い、セキュリティの高いロック機構を備えたロックシステムを提供することを目的とする。
【００１０】
【課題を解決するための手段】
以上のような目的を達成するために、本発明のロックシステムは、前記携帯型端末装置は、時間を算出する時間算出手段と、時間と当該時間において前記ロック装置の前記ロック機構を施錠若しくは解錠を行うための固有情報とが対応して設けられた固有情報テーブルを記憶する固有情報記憶手段と、前記時間算出手段により算出された時間と、前記固有情報記憶手段により記憶されている固有情報テーブルと、に基づいて、当該固有情報テーブルに含まれる複数の固有情報から、当該時間算出手段により算出された時間に対応する固有情報を決定する固有情報決定手段と、前記固有情報決定手段により決定された固有情報を前記ロック装置に供給する固有情報供給手段と、を備えたものであり、かつ、前記ロック装置は、時間と当該時間において照合を行うための認証情報とが対応して設けられた認証情報テーブルを記憶する認証情報記憶手段と、前記携帯型端末装置から供給された固有情報と、前記認証情報記憶手段により記憶された認証情報テーブルと、に基づいて、固有情報と認証情報とを照合する照合手段と、を備えたものであり、かつ、前記ロック装置における前記ロック機構は、前記ロック装置における前記照合手段により照合された結果に基づいて、前記装着体を前記本体に対して施錠若しくは解錠する機能を有することを特徴とする。
【００１１】
より具体的には、本発明は、以下のようなものを提供する。
【００１２】
（１）　凹部が設けられた本体と、当該本体における凹部を覆うように当該本体に装着された装着体と、当該装着体を前記本体に対して施錠若しくは解錠可能とするロック機構と、を備えたロック装置と、携帯型端末装置と、が無線通信可能な状態に接続されたロックシステムであって、前記携帯型端末装置は、時間を算出する時間算出手段と、時間と当該時間において前記ロック装置の前記ロック機構を施錠若しくは解錠を行うための固有情報とが対応して設けられた固有情報テーブルを記憶する固有情報記憶手段と、前記時間算出手段により算出された時間と、前記固有情報記憶手段により記憶されている固有情報テーブルと、に基づいて、当該固有情報テーブルに含まれる複数の固有情報から、当該時間算出手段により算出された時間に対応する固有情報を決定する固有情報決定手段と、前記固有情報決定手段により決定された固有情報を前記ロック装置に供給する固有情報供給手段と、を備えたものであり、かつ、前記ロック装置は、時間と当該時間において照合を行うための認証情報とが対応して設けられた認証情報テーブルを記憶する認証情報記憶手段と、前記携帯型端末装置から供給された固有情報と、前記認証情報記憶手段により記憶された認証情報テーブルと、に基づいて、固有情報と認証情報とを照合する照合手段と、を備えたものであり、かつ、前記ロック装置における前記ロック機構は、前記ロック装置における前記照合手段により照合された結果に基づいて、前記装着体を前記本体に対して施錠若しくは解錠する機能を有することを特徴とするロックシステム。
【００１３】
（１）の発明によれば、「前記携帯型端末装置は、時間を算出する時間算出手段と、時間と当該時間において前記ロック装置の前記ロック機構を施錠若しくは解錠を行うための固有情報とが対応して設けられた固有情報テーブルを記憶する固有情報記憶手段と、前記時間算出手段により算出された時間と、前記固有情報記憶手段により記憶されている固有情報テーブルと、に基づいて、当該固有情報テーブルに含まれる複数の固有情報から、当該時間算出手段により算出された時間に対応する固有情報を決定する固有情報決定手段と、前記固有情報決定手段により決定された固有情報を前記ロック装置に供給する固有情報供給手段と、を備えたものであり、かつ、前記ロック装置は、時間と当該時間において照合を行うための認証情報とが対応して設けられた認証情報テーブルを記憶する認証情報記憶手段と、前記携帯型端末装置から供給された固有情報と、前記認証情報記憶手段により記憶された認証情報テーブルと、に基づいて、固有情報と認証情報とを照合する照合手段と、を備えたものであり、かつ、前記ロック装置における前記ロック機構は、前記ロック装置における前記照合手段により照合された結果に基づいて、前記装着体を前記本体に対して施錠若しくは解錠する機能を有する」ので、他の者にパスワード等の固有情報の入力操作を見られた場合であっても、その固有情報が無線通信により信号変換されるため、入力情報を知られることがなく、セキュリティが向上する。
【００１４】
また、時間ごとに認証情報を変更させることとなるため、固有情報が一度知られた場合であっても、その時間帯を過ぎれば、再度異なる固有情報を入力しなければならず、より一層セキュリティを高めることができる。
【００１５】
また、携帯型端末装置においては、パスワード等の固有情報が記憶可能であるため、操作者が固有情報を覚えることなく、ロック装置の施錠若しくは解錠が可能となるため、どのような操作者であっても用いることができる。
【００１６】
尚、ロック装置は、携帯型端末装置から供給された固有情報を受け取った時間に基づいて、その認証情報テーブルを参照してもよいが、携帯型端末装置から固有情報とともに時間情報が供給されることとしてもよい。
【００１７】
即ち、前記ロック装置は、「時間を算出する時間算出手段と、当該時間算出手段により算出された時間と、前記認証情報テーブルと、に基づいて、当該認証情報テーブルに記憶された認証情報のうちから、当該時間算出手段により算出された時間に対応する認証情報を決定する認証情報決定手段と、を備え、前記照合手段は、前記携帯型端末装置から供給された固有情報と、前記認証情報決定手段により決定された認証情報と、を照合する機能」を有してもよく、前記携帯型端末装置は、「前記携帯型端末装置における前記固有情報供給手段は、前記固有情報決定手段により決定された固有情報とともに、前記時間算出手段により算出された時間を前記ロック装置に供給する機能」を有してもよい。
【００１８】
（２）　前記携帯型端末装置は、携帯電話機であることを特徴とする（１）記載のロックシステム。
【００１９】
（２）の発明によれば、「前記携帯型端末装置は、携帯電話機である」ので、多くの操作スイッチを用いることにより、複雑な操作も可能となる。また、電波を発する、光を発する、赤外線を発する等、様々な無線通信を可能とするものであり、簡便である。更には、メール機能等を用いて固有情報の記憶を行うことが可能であるだけでなく、音声を受信することにより、受信された音声を音声認識し、固有情報の記憶を行うことも可能であり、簡便である。
【００２０】
（３）　前記ロック装置は、遊技機であることを特徴とする（１）又は（２）記載のロックシステム。
【００２１】
（３）の発明によれば、「前記ロック装置は、遊技機である」ので、遊技機に内蔵された制御基板等に改造を施す、遊技機に内蔵された遊技球、遊技メダル、硬貨、紙幣等の遊技媒体を取り出す等、様々なゴト行為を防止することができる。
【００２２】
（４）　凹部が設けられた本体と、当該本体における凹部を覆うように当該本体に装着された装着体と、を備えたロック装置に対して、当該装着体を前記本体に対して施錠若しくは解錠可能とせしめるロック動作ステップと、携帯型端末装置と無線通信可能な状態に接続せしめる無線通信ステップと、を実行させるプログラムであって、前記携帯型端末装置に対して、時間を算出せしめる時間算出ステップと、時間と当該時間において前記ロック装置の前記ロック機構を施錠若しくは解錠を行うための固有情報とが対応して設けられた固有情報テーブルを記憶せしめる固有情報記憶ステップと、前記時間算出ステップにより算出された時間と、前記固有情報記憶ステップにより記憶されている前記固有情報テーブルと、に基づいて、当該固有情報テーブルに含まれる複数の固有情報から、当該時間算出ステップにより算出された時間に対応する固有情報を決定せしめる固有情報決定ステップと、前記固有情報決定ステップにより決定された固有情報を前記ロック装置に供給せしめる固有情報供給ステップと、を実行させるものであり、かつ、前記ロック装置に対して、時間と当該時間において照合を行うための認証情報とが対応して設けられた認証情報テーブルを記憶せしめる認証情報記憶ステップと、前記携帯型端末装置から供給された固有情報と、前記認証情報記憶ステップにより記憶された認証情報テーブルと、に基づいて、固有情報と認証情報とを照合する照合ステップと、を実行させるものであり、かつ、前記ロック動作ステップは、前記照合ステップにより照合された結果に基づいて、前記装着体を前記本体に対して施錠若しくは解錠せしめることを特徴とするプログラム。
【００２３】
（４）の発明によれば、「前記携帯型端末装置に対して、時間を算出せしめる時間算出ステップと、時間と当該時間において前記ロック装置の前記ロック機構を施錠若しくは解錠を行うための固有情報とが対応して設けられた固有情報テーブルを記憶せしめる固有情報記憶ステップと、前記時間算出ステップにより算出された時間と、前記固有情報記憶ステップにより記憶されている前記固有情報テーブルと、に基づいて、当該固有情報テーブルに含まれる複数の固有情報から、当該時間算出ステップにより算出された時間に対応する固有情報を決定せしめる固有情報決定ステップと、前記固有情報決定ステップにより決定された固有情報を前記ロック装置に供給せしめる固有情報供給ステップと、を実行させるものであり、かつ、前記ロック装置に対して、時間と当該時間において照合を行うための認証情報とが対応して設けられた認証情報テーブルを記憶せしめる認証情報記憶ステップと、前記携帯型端末装置から供給された固有情報と、前記認証情報記憶ステップにより記憶された認証情報テーブルと、に基づいて、固有情報と認証情報とを照合する照合ステップと、を実行させるものであり、かつ、前記ロック動作ステップは、前記照合ステップにより照合された結果に基づいて、前記装着体を前記本体に対して施錠若しくは解錠せしめる」ので、他の者にパスワード等の固有情報の入力操作を見られた場合であっても、その固有情報が無線通信により信号変換されるため、入力情報を知られることがなく、セキュリティが向上する。
【００２４】
また、時間ごとに認証情報を変更させることとなるため、固有情報が一度知られた場合であっても、その時間帯を過ぎれば、再度異なる固有情報を入力しなければならず、より一層セキュリティを高めることができる。
【００２５】
また、携帯型端末装置においては、パスワード等の固有情報が記憶可能であるため、操作者が固有情報を覚えることなく、ロック装置の施錠若しくは解錠が可能となるため、どのような操作者であっても用いることができる。
【００２６】
尚、ロック装置は、携帯型端末装置から供給された固有情報を受け取った時間に基づいて、その認証情報テーブルを参照してもよいが、携帯型端末装置から固有情報とともに時間情報が供給されることとしてもよい。
【００２７】
即ち、前記ロック装置に対しては、「時間を算出せしめる時間算出ステップと、当該時間算出ステップにより算出された時間と、前記認証情報テーブルと、に基づいて、当該認証情報テーブルに記憶された認証情報のうちから、当該時間算出ステップにより算出された時間に対応する認証情報を決定せしめる認証情報決定ステップと、を実行させるものであり、かつ、前記照合ステップは、前記携帯型端末装置から供給された固有情報と、前記認証情報ステップ手段により決定された認証情報と、を照合せしめるもの」であってもよく、前記携帯型端末装置に対しては、「前記携帯型端末装置における前記固有情報供給ステップは、前記固有情報決定ステップにより決定された固有情報とともに、前記時間算出ステップにより算出された時間を前記ロック装置に供給せしめる機能」を有してもよい。
【００２８】
［用語等の定義］
「無線通信」とは、「有線通信」とは異なり、配線を有することなく通信を行うものを含む概念であり、例えば、発光により通信を行うもの、赤外線により通信を行うもの、電波を用いて通信を行うもの、様々な通信形態が該当し、このような通信形態を用いて通信を行い、携帯性の優れた通信を行うことが可能となる。
【００２９】
「時間」とは、時のある一点としての時間だけでなく、時の長さである期間を含む概念である。また、期間の場合には、所定の周期に区切られた時間帯であり、一定周期に区切られるものと、一定周期に区切られないものと、を問わない。例えば、１時間、半日、１日、２日、１週間、１ヶ月等、一種類の周期に区切られるもの、複数種類の周期に区切られるもの、様々な態様が該当する。
【００３０】
【発明の実施の形態】
以下に、本発明の好適な実施形態について図面に基づいて説明する。
【００３１】
図１は本発明に係るパチンコ遊技機を備えた構成を示すブロック図である。尚、本実施形態においては、遊技機の一例としてパチンコ遊技機を示すが、本発明はこれに限らず、例えば、スロット遊技機、メダル遊技機等であってもよく、遊技球、遊技メダル等遊技媒体を投入することにより遊技が開始される遊技機であればすべて対象になる。また、このような遊技機の他にも、凹部を有する本体と、その本体における凹部を覆うように装着された装着体と、を備えた装置であればよく、その凹部に機密性のあるものを有する装置が好ましい。
【００３２】
この図１に示す如く、インターネット、専用回線、プロバイダ、音声通信局、及び、携帯電話機用基地局、衛星通信局等からなる通信回線網であるネットワークＮＴには、パチンコ遊技機１０、管理サーバ８０が接続可能となっており、パチンコ遊技機１０と通信可能に接続されている。これにより、管理サーバ８０は、後述する如く、パチンコ遊技機１０に対して、認証情報テーブルを送信することができる。
【００３３】
また、このネットワークＮＴには、携帯型端末装置９６（９６Ａ、９６Ｂ、．．．．．．）が接続されており、管理サーバ８０からネットワークＮＴを介して通信することができる。これにより、管理サーバ８０は、後述する如く、携帯型端末装置９６に対して固有情報テーブルを送信することができる。
【００３４】
尚、この携帯型端末装置９６は、例えば、携帯電話機９６Ａ（以降、携帯型端末装置と称する）に限らず、ＰＤＡ９６Ｂ（以降、携帯型端末装置と称する）、モバイルパーソナルコンピュータ等の携帯性の優れた機器であってもよい。
【００３５】
更には、これらの装置のアクセス方法としては、パチンコ遊技機１０、管理サーバ８０、携帯型端末装置９６とインターネット等のネットワークＮＴ（プロバイダのホストコンピュータ）との間は、ＴＣＰ／ＩＰプロトコル群で作成したパケットのやり取りをダイヤルアップＰＰＰ（Ｐｏｉｎｔ−ｔｏ−Ｐｏｉｎｔ　Ｐｒｏｔｏｃｏｌ）接続を利用して行う。これにより、パチンコ遊技機１０、携帯型端末装置９６は管理サーバ８０から種々の提供情報を入手することができる。更には、電子情報を更新する際には、ＦＴＰ（Ｆｉｌｅ　Ｔｒａｎｓｆｅｒ　Ｐｒｏｔｏｃｏｌ）を採用している。
【００３６】
尚、この通信には、各種の通信方式が用いることができ、例えば、ＴＤＭＡ（Ｔｉｍｅ　Ｄｉｖｉｓｉｏｎ　Ｍｕｌｔｉｐｌｅ　Ａｃｃｅｓｓ）方式や、ＣＤＭＡ（Ｃｏｄｅ　Ｄｉｖｉｓｉｏｎ　Ｍｕｌｔｉｐｌｅ　Ａｃｃｅｓｓ）方式等、デジタル方式の電波を用いて音声データを供給するものが主流となっており、これらの電波は、各地に点在する基地局を介して、管理サーバ８０に接続される。
【００３７】
また、本実施形態では、図１に示すように構成したが、本発明はこれに限らず、管理サーバ８０を、機能別に二以上のサーバとして構成したものであってもよい。
【００３８】
［遊技機の構成］
パチンコ遊技機１０の概観を示す正面図を図２に示す。
【００３９】
パチンコ遊技機１０には、本体枠１２と、本体枠１２に組み込まれた遊技盤１４と、遊技盤１４の前面に設けられた本体枠１２の窓枠１６と、窓枠１６の下側で本体枠１２の前面に設けられた上皿２０及び下皿２２と、下皿２２の右側に設けられた発射ハンドル２６と、前面から見て本体枠１２の四隅に設けられたスピーカ４６（４６ａ〜４６ｄ）と、が配置されている。
【００４０】
更には、遊技盤１４の前面には複数の障害釘（図示せず）が打ちこまれている。尚、釘を打ち込むような構成とせず、遊技盤１４を樹脂素材で成形し、この樹脂素材の遊技盤１４に金属製の棒状体を遊技盤１４の前方向に突出するように植設する構成としてもよく、上述した如き構成したパチンコ遊技機１０（パチコン機）にも本発明を適用することができ、更には、遊技球が入力されるメダル遊技機にも適用することができる。尚、本明細書においては、パチンコ遊技機１０とは、パチコン機をも含む概念である。
【００４１】
このようなパチンコ遊技機１０は、後述する如く、本体部１０２（図４参照）と、扉１０４（図４参照）とから構成されており、その扉１０４を本体部１０２に固定するために用いられる受光窓３１が窓枠１６の外側右方に設けられている。この受光窓３１は、後述する如く、携帯型端末装置９６から供給される光線を、その受光窓の３１の背面に設けられた受光センサ１３２（図５参照）により受信可能としたものであり、本体部１０２内部に設けられたロック機構１０６を変位させ、解錠若しくは施錠を行うこととなる。
【００４２】
尚、本実施形態においては、固定式の扉１０４を用いたパチンコ遊技機１０であったが、本発明はこれに限らず、本体部に対して着脱自在な扉を備えた遊技機であってもよい。
【００４３】
更にまた、発射ハンドル２６は本体枠１２に対して回動自在に設けられており、遊技者は発射ハンドル２６を操作することによりパチンコ遊技を進めることができるのである。発射ハンドル２６の裏側には、発射モータ２８が設けられている。
【００４４】
更にまた、発射ハンドル２６の周縁部には、タッチセンサ２９が設けられている。遊技者の手がタッチセンサ２９に触れたときには、タッチセンサ２９から触接検出信号が発せられ、この信号が発せられたことにより遊技者が発射ハンドル２６を握持したとされるのである。発射ハンドル２６が遊技者によって握持され、かつ、時計回り方向へ回動操作されたときには、その回動角度に応じて発射モータ２８に電力が供給され、上皿２０に貯留された遊技球が遊技盤１４に順次発射される。
【００４５】
発射された遊技球は、遊技盤１４上に設けられたガイドレール３０に案内されて遊技盤１４の上部に移動し、その後、上述した複数の障害釘との衝突によりその進行方向を変えながら遊技盤１４の下方に向かって落下する。
【００４６】
遊技盤１４を拡大した拡大正面図を図３に示す。尚、上述した図２に示した構成要素と対応する構成要素には同一の符号を付した。また、図３は、上述した障害釘について省略したものを示した。
【００４７】
遊技盤１４の前面の略中央には、後述する如き表示部である表示装置３２が設けられている。表示装置３２の上部の中央には、表示装置５２が設けられている。この表示装置５２は、例えば７セグメント表示器で構成されており、表示情報である普通図柄が、変動と停止とを繰り返すように可変表示される。
【００４８】
表示装置３２の左右の側部には、球通過検出器５５（５５ａ及び５５ｂ）が設けられている。この球通過検出器５５（５５ａ及び５５ｂ）は、その近傍を遊技球が通過したことを検出したときには、上述した表示装置５２において、普通図柄の変動表示が開始され、所定の時間経過した後、普通図柄の変動表示が停止する。この普通図柄は、数字や記号等からなる情報であり、例えば「０」から「９」までの数字や「☆」等の記号である。
【００４９】
この普通図柄が所定の図柄、例えば「７」となって停止して表示されたときには、後述する始動口４４の左右の両側に設けられている可動片５８（５８ａ及び５８ｂ）を駆動するためのソレノイド５７（図５参照）に電流を供給し、始動口４４に遊技球が入りやすくなるように可動片５８（５８ａ及び５８ｂ）を駆動し、始動口４４を開放状態となるようにする。尚、始動口４４を開放状態とした後、所定の時間が経過したときには、可動片を駆動し始動口４４を閉鎖状態として、遊技球が入りにくくなるようにするのである。
【００５０】
上述した表示装置５２の左右の両側には４つの保留ランプ３４（３４ａ〜３４ｄ）が設けられている。これらの保留ランプ３４は、遊技者の操作により遊技球が始動口４４に入球されたことにより、遊技球が始動口４４に入球したことがストックされた場合には、そのストックされている内部抽選データの数に基づいて点灯されることとなるのである。
【００５１】
また、遊技盤１４の下部には、遊技球の大入賞口３８が設けられている。この大入賞口３８の近傍には、シャッタ４０が開閉自在に設けられている。シャッタ４０は後述する大当たり状態になったときには開放状態となるようにソレノイド４８により駆動される。尚、シャッタ４０は、後述する如く、大当たり状態に移行した場合には、所定のタイミングで開閉を行う。また、この大入賞口３８は、その左右両側面に開口が設けられており、それらの開口の各々には、後述する球検知センサ４２（図５参照）が備えられている。
【００５２】
上述した表示装置５２の上部には一般入賞口５０が設けられており、表示装置３２の左右の両側には一般入賞口５４ａ及び５４ｂが設けられている。更に、表示装置３２の下部の左右の両側には一般入賞口５４ｃ及び５４ｄが設けられている。また、遊技盤１４の左右の端部には、特別入賞口５６ａ及び５６ｂが設けられ、大入賞口３８の左右の両側には、特別入賞口５６ｃ及び５６ｄが設けられている。
【００５３】
また、遊技球を入球させることにより、後述する可変表示ゲームが開始されて表示装置３２に表示される複数の図柄、例えば３つの識別情報である図柄を変動表示状態に移行する始動口４４が設けられている。
【００５４】
更に、シャッタ４０の下方には排出口５３が設けられており、上述した大入賞口３８、始動口４４、一般入賞口５４ａ〜５４ｄ及び特別入賞口５６ａ〜５６ｄに遊技球が入賞しなかった遊技球がこの排出口５３から排出される。
【００５５】
また、上述した大入賞口３８、始動口４４、一般入賞口５４ａ〜５４ｄ、特別入賞口５６ａ〜５６ｄ及び排出口５３には、それぞれ入球された遊技球を算出するべく、球検知センサ４２が設けられている。
【００５６】
上述した大入賞口３８、始動口４４、一般入賞口５４ａ〜５４ｄ及び特別入賞口５６ａ〜５６ｄに遊技球が入賞したときには、入賞口の種類に応じて遊技球が下皿２２に払い出されるようになされている。また、後述する如く、大入賞口３８に遊技球が入球した場合では、遊技状況に応じて払い出される遊技球の数が変化する。
【００５７】
更にまた、表示装置３２の左右の両側には、遊技球の経路を所定の方向に誘導するための転動誘導部材５９ａ及び５９ｂも設けられている。また、遊技盤１４の外側の上左側と上右側とには装飾ランプ３６（３６ａ及び３６ｂ）が設けられている。
【００５８】
尚、上述した表示装置３２において後述する演出画像を表示する部分は、液晶ディスプレイパネルからなるものであってもブラウン管からなるものであってもよい。また、上述した実施形態においては、表示装置３２は、遊技機であるパチンコ遊技機１０の遊技盤１４の前面の略中央に設けられている場合を示したが、遊技者が見得るような位置であれば遊技機の何処の位置に表示装置３２を設けることとしてもよい。
【００５９】
［遊技機　扉開放時］
図４は、扉を開放したパチンコ遊技機１０を示す概略図を示す。
【００６０】
パチンコ遊技機１０は、図４に示す如く、本体部１０２と扉１０４とで構成されている。本体部１０２には、後述する主制御回路６０（図５参照）等を内蔵させるための凹部１０８が設けられており、その凹部１０８を扉１０４が外側に露呈しないように覆うこととなる。また、扉１０４は、図４に示す如く、正面から見て左側で本体部１０２と軸着されており、その軸着された部分を中心として回動自在となっている。尚、本実施形態においては、扉１０４側に基板等を設置したが、本発明はこれに限らず、本体部１０２側に設けてもよい。
【００６１】
また、ロック機構１０６は、本体部１０２に設けられた被ロック部１１２と、扉１０４に設けられたロック片１１０と、を備えたものであり、このロック片１１０が、被ロック部１１２に係入することにより、扉１０４が凹部１０８を覆う状態で、即ち、扉１０４が閉じた状態で固定されることとなる。
【００６２】
尚、本実施形態におけるパチンコ遊技機１０では、本体部１０２に被ロック部１１２を、扉１０４にロック片１１０を、設け、ロック片１１０が被ロック部１１２に係入することにより扉１０４が閉じた状態で固定されたロック機構１０６であったが、本発明はこれに限らず、単に扉１０４が閉じた状態で固定されるものであればよく、例えば、本体部１０２にロック片１１０を設け、扉１０４に被ロック部１１２を設けてもよく、更には、ロック部と、ロック孔と、を備えたロック機構であってもよい。
【００６３】
また、本実施形態におけるパチンコ遊技機１０では、ロック片１１０が被ロック部１１２に係入することにより扉１０４が閉じた状態で固定されたが、本発明はこれに限らず、係止されるものであれば問題ない。
【００６４】
［遊技機の制御部の構成］
本発明の実施形態であるパチンコ遊技機の制御回路を示すブロック図を図５に示す。
【００６５】
上述した発射ハンドル２６は、主制御回路６０のインターフェイス回路群６２に接続され、インターフェイス回路群６２は、入出力バス６４に接続されている。発射ハンドル２６の回動角度を示す角度信号は、インターフェイス回路群６２により所定の信号に変換された後、入出力バス６４に供給される。入出力バス６４は、中央処理回路（以下、ＣＰＵと称する）６６にデータ信号又はアドレス信号が入出力されるようになされている。また、ＣＰＵ６６の内部には、後述するタイマ（図示せず）が備えられている。
【００６６】
尚、「ＣＰＵ６６」は、請求項に記載された「認証情報記憶手段」、「照合手段」の一部を構成するものに相当し、更には、本明細書中に記載された「時間算出手段」、「認証情報決定手段」の一部にも相当する。
【００６７】
また、発射ハンドル２６に備えられたタッチセンサ２９も、主制御回路６０のインターフェイス回路群６２に接続されている。タッチセンサ２９は、遊技者の手が触れたことを検出する触接検出信号をインターフェイス回路群６２に発した後、入出力バス６４に供給される。
【００６８】
また、上述したインターフェイス回路群６２には、入賞口の各々に対して設置された球検知センサ４２も接続されており、遊技球が上述した大入賞口３８、始動口４４、一般入賞口５４ａ〜５４ｄ、特別入賞口５６ａ〜５６ｄ及び排出口５３に入球したときには、球検知センサ４２は、検出信号をインターフェイス回路群６２に供給する。更に、インターフェイス回路群６２には、球通過検出器５５も接続されており、球通過検出器５５は遊技球がその近傍を通過したことを検出したときには、検出信号をインターフェイス回路群６２に供給する。
【００６９】
更にまた、上述したインターフェイス回路群６２には、受光窓３１の背面に設けられた受光センサ１３２が接続されており、インターフェイス回路群６２は、この受光センサ１３２から発せられた受光信号を受け取り、受光信号を所定の信号に変換し、入出力バス６４を介して、ＣＰＵ６６に所定の信号を供給することとなる。
【００７０】
また、この受光センサ１３２が受光した場合には、上述した如く、受光信号を、インターフェイス回路群６２、入出力バス６４を介して、ＣＰＵ６６に供給することとなるが、ＣＰＵ６６は、その受光信号の有効、無効のタイミングのみで情報を認識する、所謂モールス方式を用いている。
【００７１】
尚、本実施形態においては、モールス方式を用いて無線通信を実現したが、本発明はこれに限らず、配線を有することなく通信を行う無線通信であればよく、例えば、モールス方式のように発光により通信を行うもの、赤外線により通信を行うもの、電波を用いて通信を行うもの、様々な通信形態が該当する。このような通信形態を用いて通信を行うことにより、携帯性の優れた通信を行うことが可能となる。
【００７２】
また、この「受光センサ１３２」は、請求項に記載された「無線通信」を実現するものに相当する。
【００７３】
上述した入出力バス６４には、ＲＯＭ（リード・オンリー・メモリ）６８、ＥＰＲＯＭ６９及びＲＡＭ（ランダム・アクセス・メモリ）７０も接続されている。
【００７４】
ＲＯＭ６８は、パチンコ遊技機の遊技全体の流れを制御する制御プログラムを記録する。また、ＲＯＭ６８は、制御プログラムを実行するための初期データや、装飾ランプ３６の点滅動作パターンを制御するプログラムや、表示装置３２における表示制御をするプログラム等を記憶する。
【００７５】
また、本実施形態におけるプログラムは、具体的には、下記のようなものを含む。
【００７６】
（Ａ）　「装着体を本体に対して施錠若しくは解錠可能とせしめるロック動作ステップ」を実行させるためのプログラム。
【００７７】
（Ｂ）　「携帯型端末装置と無線通信可能な状態に接続せしめる無線通信ステップ」を実行させるためのプログラム。
【００７８】
（Ｃ）　「時間と当該時間において照合を行うための認証情報とが対応して設けられた認証情報テーブルを記憶せしめる認証情報記憶ステップ」を実行させるためのプログラム。
【００７９】
（Ｄ）　「携帯型端末装置から供給された固有情報と、前記認証情報記憶ステップにより記憶された認証情報テーブルと、に基づいて、固有情報と認証情報とを照合する照合ステップ」を実行させるためのプログラム。
【００８０】
また、ステップ（Ａ）は、照合せしめるステップにより照合された結果に基づいて、前記装着体を前記本体に対して施錠若しくは解錠せしめる」ものである。
【００８１】
このようなプログラムを実行させることにより、他の者にパスワード等の固有情報の入力操作を見られた場合であっても、その固有情報が無線通信により信号変換されるため、入力情報を知られることがなく、セキュリティが向上する。
【００８２】
また、時間ごとに認証情報を変更させることとなるため、固有情報が一度知られた場合であっても、その時間帯を過ぎれば、再度異なる固有情報を入力しなければならず、より一層セキュリティを高めることができる。
【００８３】
また、携帯型端末装置においては、パスワード等の固有情報が記憶可能であるため、操作者が固有情報を覚えることなく、ロック装置の施錠若しくは解錠が可能となるため、どのような操作者であっても用いることができる。
【００８４】
尚、ロック装置は、携帯型端末装置から供給された固有情報を受け取った時間に基づいて、その認証情報テーブルを参照してもよいが、携帯型端末装置から固有情報とともに時間情報が供給されることとしてもよい。
【００８５】
即ち、前記ロック装置に対しては、下記のプログラムを含んだものであってもよい。
【００８６】
（Ｅ）　「時間を算出せしめる時間算出ステップ」を実行させるためのプログラム。
【００８７】
（Ｆ）　ステップ（Ｅ）により算出された時間と、前記認証情報テーブルと、に基づいて、当該認証情報テーブルに記憶された認証情報のうちから、ステップ（Ｅ）により算出された時間に対応する認証情報を決定せしめる認証情報決定ステップ」を実行させるためのプログラム。
【００８８】
また、上述した（Ｄ）の照合ステップは、「前記携帯型端末装置から供給された固有情報と、前記認証情報ステップ手段により決定された認証情報と、を照合せしめるもの」であってもよい。
【００８９】
「ＲＯＭ６８」に記録されたプログラムは、請求項に記載された「認証情報記憶手段」、「照合手段」の一部を構成するものに相当し、更には、本明細書中に記載された「時間算出手段」、「認証情報決定手段」の一部にも相当する。
【００９０】
また、本実施形態でのプログラムは、ＲＯＭ６８に記録されていたが、ハードディスク装置、ＣＤ−ＲＯＭ及びＤＶＤ等の記憶媒体に記録されていればよい。また、これらのプログラムは、予め記録されているものでなくとも、電源投入後にＲＡＭ７０等に記録されるものでもよい。更にまた、プログラムの各々が別々の記憶媒体に記録されていてもよい。
【００９１】
また、ＥＰＲＯＭ６９は、フラッシュＲＯＭ、ＥＥＰＲＯＭ等、電気的に書き込み、消去可能なＲＯＭであり、通電状態でなくともそのデータを保存した状態に保持することができる。このＥＰＲＯＭ６９は、上述したステップ（Ｃ）における認証情報テーブルを記憶する。尚、この「ＥＰＲＯＭ６９」は、請求項に記載された「認証情報記憶手段」の一部を構成するものに相当する。
【００９２】
この認証情報テーブルは、図６に示す如く、年月日データと、パスワードデータと、が関連付けられているものである。尚、図６に示す如く、所定の操作を行うことにより表示装置３２に認証情報テーブルを表示させるようにしても問題ない。
【００９３】
また、ＲＡＭ７０は、上述したプログラムで使用するフラグや変数の値を記憶する。
【００９４】
また、上述したインターフェイス回路群６２には、局番号スイッチ３７が接続されている。局番号スイッチ３７は、４個のロータリースイッチから構成されている。また、このロータリースイッチの各々は、「０」〜「Ｆ」を示すものである。局番号スイッチ３７は、後述する通信用インターフェイス回路７４における通信局番号を示すものであり、局番号信号をインターフェイス回路群６２に供給する。
【００９５】
更に、入出力バス６４には、インターフェイス回路群７２も接続されている。インターフェイス回路群７２には、スピーカ４６、発射モータ２８、装飾ランプ３６、ソレノイド４８、５７及び１３０、表示装置３２に画像を表示させるための表示制御装置２００、が接続されており、インターフェイス回路群７２は、ＣＰＵ６６における演算処理の結果に応じて上述した装置の各々を制御すべく駆動信号や駆動電力、各種信号を供給する。
【００９６】
更にまた、入出力バス６４には、乱数を発生されるための乱数発生部６５が接続されている。乱数を発生させるための命令がＣＰＵ６６から乱数発生部６５へ発せられたときには、乱数発生部６５は所定の範囲の乱数を発生させ、その乱数の値を示す信号を入出力バス６４に発するのである。ＣＰＵ６６は、この発生された乱数により遊技の進行状況を決定する。
【００９７】
尚、本実施形態におけるパチンコ遊技機１０では、乱数を発生させる乱数発生部６５が備えられたものであったが、本発明はこれに限らず、乱数発生部６５を特別設けることなく、ＣＰＵ６６がその乱数を発生させるものであってもよく、更には、乱数発生部６５を備え、ＣＰＵ６６が、乱数発生部６５により発生された乱数に基づいて、内部抽選データを生成するものであってもよい。
【００９８】
更にまた、入出力バス６４には、通信用インターフェイス回路７４も接続されており、通信用インターフェイス回路７４は、公衆電話回線網やローカルエリアネットワーク（ＬＡＮ）等の通信回線を介して、管理サーバ８０等との通信を行うためのものである。
【００９９】
更にまた、インターフェイス回路群７２には、表示制御装置２００も接続されており、表示制御装置２００は、主制御回路６０から発せられる画像表示命令に基づいて表示制御装置２００に接続されている表示装置３２を駆動するための駆動信号を発する。
【０１００】
更にまた、インターフェイス回路群７２には、ソレノイド１３０も接続されており、ＣＰＵ６６から供給される施錠及び／又は解錠信号を受け取り、可動することとなる。
【０１０１】
このソレノイド１３０は、被ロック部１１２を可動させるためのものであり、その可動に応じて、扉１０４を本体部１０２に施錠及び解錠するようにされる、即ち、扉１０４を本体部１０２に対して施錠若しくは解錠可能とするものなのである。
【０１０２】
また、本実施形態においては、施錠及び／又は解錠信号を受け取ることにより、扉１０４を本体部１０２に対して施錠若しくは解錠可能とする、即ち、一の信号により可動を繰り返すものを採用していたが、本発明はこれに限らず、施錠信号を受け取ることにより、扉１０４を本体部１０２に対して施錠可能とし、解錠信号を受け取ることにより、扉１０４を本体部１０２に対して解錠可能とする、即ち、複数の信号により可動を可能とするものを採用してもよい。
【０１０３】
［端末装置の構成］
上述した携帯型端末装置９６の構成を示すブロック図を図７に示す。ここでは携帯型端末装置９６Ａについて説明するが、他の携帯型端末装置９６Ｂ、．．．．．．も同様の構成を有するものとする。
【０１０４】
携帯型端末装置９６Ａは、図７に示すように、入出力バス２１６に、ＣＰＵ２０２、ＲＯＭ２０４、ＥＰＲＯＭ２０６、ＲＡＭ２０８、表示部２１０、操作部２１２、通信用インターフェイス回路２１４、発光素子２１８が接続されている。
【０１０５】
この「ＣＰＵ２０２」は、請求項に記載された「時間算出手段」、「固有情報記憶手段」、「固有情報決定手段」、「固有情報供給手段」の一部に相当する。
【０１０６】
ＥＰＲＯＭ２０６には、後述するプログラム、テーブル、データベース等が記録される。通信用インターフェイス回路２１４は、図１に示した如く、公衆電話回線網やローカルエリアネットワーク（ＬＡＮ）等の通信回線を介して管理サーバ８０と通信可能に接続される。更には、ＥＰＲＯＭ２０６は、外部からダウンロードされたソフトウェアを記録することができる。
【０１０７】
また、本実施形態におけるプログラムは、具体的には、下記のようなものを含む。
【０１０８】
（Ｇ）　「時間を算出せしめる時間算出ステップ」を実行させるためのプログラム。
【０１０９】
（Ｈ）　「時間と当該時間において前記ロック装置の前記ロック機構を施錠若しくは解錠を行うための固有情報とが対応して設けられた固有情報テーブルを記憶せしめる固有情報記憶ステップ」を実行させるためのプログラム。
【０１１０】
（Ｉ）　「ステップ（Ｇ）により算出された時間と、ステップ（Ｈ）により記憶されている前記固有情報テーブルと、に基づいて、当該固有情報テーブルに含まれる複数の固有情報から、当該時間算出ステップにより算出された時間に対応する固有情報を決定せしめる固有情報決定ステップ」を実行させるためのプログラム。
【０１１１】
（Ｊ）　「ステップ（Ｉ）により決定された固有情報を前記ロック装置に供給せしめる固有情報供給ステップ」を実行させるためのプログラム。
【０１１２】
このようなプログラムを実行させることにより、他の者にパスワード等の固有情報の入力操作を見られた場合であっても、その固有情報が無線通信により信号変換されるため、入力情報を知られることがなく、セキュリティが向上する。
【０１１３】
また、時間ごとに認証情報を変更させることとなるため、固有情報が一度知られた場合であっても、その時間帯を過ぎれば、再度異なる固有情報を入力しなければならず、より一層セキュリティを高めることができる。
【０１１４】
更には、携帯型端末装置においては、パスワード等の固有情報が記憶可能であるため、操作者が固有情報を覚えることなく、ロック装置の施錠若しくは解錠が可能となるため、どのような操作者であっても用いることができる。
【０１１５】
尚、ロック装置は、携帯型端末装置から供給された固有情報を受け取った時間に基づいて、その認証情報テーブルを参照してもよいが、携帯型端末装置から固有情報とともに時間情報が供給されることとしてもよい。
【０１１６】
即ち、「前記固有情報供給ステップは、前記固有情報決定ステップにより決定された固有情報とともに、前記時間算出ステップにより算出された時間を前記ロック装置に供給する機能」を有してもよい。
【０１１７】
また、この「ＲＯＭ２０４」に記録されたプログラムは、請求項に記載された「時間算出手段」、「固有情報記憶手段」、「固有情報決定手段」、「固有情報供給手段」の一部に相当する。
【０１１８】
更には、ＥＰＲＯＭ２０６には、図８に示す如く、固有情報テーブルが記憶されている。尚、この「ＥＰＲＯＭ２０６」は、請求項に記載された「固有情報記憶手段」の一部を構成するものに相当する。
【０１１９】
この固有情報テーブルは、図８に示す如く、年月日データと、パスワードデータと、が関連付けられているものである。尚、図８に示す如く、所定の操作を行うことにより表示装置３２に認証情報テーブルを表示させるようにしても問題ない。
【０１２０】
また、時間に基づいて固有情報テーブルから固有情報が決定された場合には、その固有情報に基づいて、発光素子２１８を発光させる。この発光素子２１８を、上述した如く、パチンコ遊技機１０における受光窓３１に近づけ、発光させることにより、モールス信号が発信され、パチンコ遊技機１０における受光センサ１３２がその信号を受信し、ＣＰＵ６６が信号を認識することなる。
【０１２１】
また、この「発光素子２１８」は、請求項に記載された「無線通信」を実現するものに相当する。
【０１２２】
［サーバの構成］
上述した管理サーバ８０の構成を示すブロック図を図９に示す。
【０１２３】
管理サーバ８０は、図９に示すように、入出力バス９４に、ＣＰＵ８２、ＲＯＭ８４、ＲＡＭ８６、ハードディスクドライブ８８、通信用インターフェイス回路９０、局番号スイッチ９２が接続されている。
【０１２４】
ハードディスクドライブ８８には、後述するプログラム、データベース等が記録される。通信用インターフェイス回路９０は、公衆電話回線網やローカルエリアネットワーク（ＬＡＮ）等の通信回線を介して複数のパチンコ遊技機、携帯型端末装置９６と通信可能に接続される。特に、複数のパチンコ遊技機には、局番号スイッチ９２により当該通信局番号が設定される。更には、ハードディスクドライブ８８は、外部からダウンロードされたソフトウェアを記録することができる。
【０１２５】
［サーバの制御プログラム及び画面］
また、上述したハードディスクドライブ８８には、図１０に示す如く、局番号データベースが記録されている。この局番号データベースは、局番号データ、台番号データ、機種データを含むデータ群が関連付けられている。この局番号データベースは、パチンコ遊技機１０の各々と、管理サーバ８０と、が通信するために用いるものであり、局番号データに対して、台番号データ、機種データが設定可能となる。
【０１２６】
更には、ハードディスクドライブ８８には、図１１に示す如く、固有情報・認証情報テーブルが記録されている。この固有情報・認証情報テーブルは、図１１に示す如く、年月日データと、パスワードデータと、が関連付けられているものである。尚、図１１に示す如く、所定の操作を行うことにより表示装置３２に認証情報テーブルを表示させるようにしても問題ない。
【０１２７】
更にまた、ハードディスクドライブ８８には、図１２に示す如く、固有情報配信先データベースが記録されている。この固有情報配信先データベースは、ＮＯデータ、登録名称データ、携帯型端末装置９６におけるメールアドレスデータ、その携帯型端末装置９６における電話番号データを含むデータ群が関連付けられている。この固有情報を配信する宛先に関するものであり、管理サーバ８０と、携帯型端末装置９６と、が通信するために用いるものである。
【０１２８】
また、本実施形態において、パチンコ遊技機１０のみを管理サーバ８０に接続した構成としたが、本発明はこれに限らず、スロット遊技機のみを接続した構成としてもよく、更には、単一種類の遊技機を接続したものでなくとも、パチンコ遊技機等の遊技機を管理サーバ８０に接続した構成としてもよい。もちろん、遊技機とは異なる装置を管理サーバ８０に接続した構成としてもよい。
【０１２９】
このように、図６、図８、図１０から図１２に示すテーブル、データベースを用いることにより、管理サーバ８０からパチンコ遊技機１０及び携帯型端末装置９６に対して、固有情報テーブル、認識情報テーブルを送信することが可能となる。
【０１３０】
［遊技機の動作］
上述した主制御回路６０において実行されるパチンコ遊技機１０、管理サーバ８０、携帯型端末装置９６を制御するサブルーチンを図１３に示す。尚、図１３に示すサブルーチンは、予め実行されているメインプログラムから所定のタイミングで呼び出されて実行されるものである。また、パチンコ遊技機１０で行われる遊技内容は、所定のタイミングで呼び出されるサブルーチンにより制御されることとなる。
【０１３１】
以下においては、パチンコ遊技機１０、管理サーバ８０、携帯型端末装置９６は予め起動されており、上述したＣＰＵ６６において用いられる変数は所定の値に初期化され、定常動作しているものとする。また、この遊技機の動作では、主として、ロック機構１０６の解錠を検知することを説明するが、本発明ではこれに限らず、ロック機構１０６の解錠だけでなく、扉１０４の開放をも検知するものである。
【０１３２】
最初に、携帯型端末装置９６では、施錠若しくは解錠操作が行われたか否かを判断する（ステップＳ１０１）。この処理において、ＣＰＵ２０２は、操作部２１２の入力結果に基づいて、施錠若しくは解錠操作が行われたと判別した場合には、ステップＳ１０２に処理を移し、施錠若しくは解錠操作が行われたと判別しなかった場合には、本サブルーチンを終了させる。
【０１３３】
携帯型端末装置９６では、ステップＳ１０１において、施錠若しくは解錠操作が行われたと判別した場合には、時間算出処理を実行する（ステップＳ１０２）。この処理において、ＣＰＵ２０２は、ＣＰＵ２０２自身に内蔵されているタイマにより今現在の時間を算出し、その結果算出された時間データをＲＡＭ２０８に記録する。尚、本実施形態においては、１日単位で固有情報及び認証情報を決定するため、この場合には、年月日データさえ測定できれば充分である。本ステップが終了した場合には、ステップＳ１０３に処理を移す。
【０１３４】
次いで、携帯型端末装置９６では、固有情報テーブル参照処理を実行する（ステップＳ１０３）。この処理において、ＣＰＵ２０２は、ＥＰＲＯＭ２０６に記録されている固有情報テーブルを参照する。本ステップが終了した場合には、ステップＳ１０４に処理を移す。
【０１３５】
次いで、携帯型端末装置９６では、固有情報決定処理を実行する（ステップＳ１０４）。この処理において、ＣＰＵ２０２は、ステップＳ１０２の処理によりＲＡＭ２０８に記録された時間データと、ステップＳ１０３の処理により参照された固有情報テーブルと、に基づいて、固有情報を決定し、その固有情報をＲＡＭ２０８に記録する。本ステップが終了した場合には、ステップＳ１０５に処理を移す。
【０１３６】
次いで、携帯型端末装置９６では、固有情報変換処理を実行する（ステップＳ１０５）。この処理において、ＣＰＵ２０２は、ステップＳ２０４の処理によりＲＡＭ２０８に記録された固有情報をモールス信号に対応したモールス信号データとして変換し、そのモールス信号の発光タイミングに関するデータをＲＡＭ２０８に記録する。本ステップが終了した場合には、ステップＳ１０６に処理を移す。
【０１３７】
次いで、携帯型端末装置９６では、固有情報送信処理を実行する（ステップＳ１０６）。この処理において、ＣＰＵ２０２は、ステップＳ１０５の処理によりＲＡＭ２０８に記録されたモールス信号の発光タイミングに関するデータを読み出し、そのデータに基づいて、入出力バス２１６を介して、発光素子２１８に発光命令を供給する。この処理において、モールス信号の発光タイミングに関するデータに基づいて、発光タイミングを含む発光命令を生成したが、本発明はこれに限らず、任意の変換処理を行い、暗号化することも可能である。本ステップが終了した場合には、本サブルーチンを終了させる。
【０１３８】
一方、パチンコ遊技機１０では、固有情報受信処理を実行する（ステップＳ２０１）。この処理において、ステップＳ１０６の処理により発光素子２１８から発せられた発光信号を受光センサ１３２が受信し、その受信に基づいて、インターフェイス回路群６２、入出力バス６４を介して、受光信号をＣＰＵ６６に供給する。本ステップが終了した場合には、ステップＳ２０２に処理を移す。
【０１３９】
次いで、パチンコ遊技機１０では、固有情報記録処理を実行する（ステップＳ２０２）。この処理において、ステップＳ２０１の処理により供給された受光信号を受け取ったＣＰＵ６６は、この受光信号に基づいて、モールス信号を固有情報として変換し、その固有情報をＲＡＭ７０に記録する。本ステップが終了した場合には、ステップＳ２０３に処理を移す。
【０１４０】
次いで、パチンコ遊技機１０では、時間算出処理を実行する（ステップＳ２０３）。この処理において、ＣＰＵ６６は、ＣＰＵ６６自身に内蔵されているタイマにより今現在の時間を算出し、その結果算出された時間データをＲＡＭ６６に記録する。尚、本実施形態においては、１日単位で固有情報及び認証情報を決定するため、この場合には、年月日データさえ測定できれば充分である。本ステップが終了した場合には、ステップＳ２０４に処理を移す。
【０１４１】
次いで、パチンコ遊技機１０では、認証情報テーブル参照処理を実行する（ステップＳ２０４）。この処理において、ＣＰＵ６６は、ＥＰＲＯＭ６９に記録されている認証情報テーブルを参照する。本ステップが終了した場合には、ステップＳ２０５に処理を移す。
【０１４２】
次いで、パチンコ遊技機１０では、認証情報決定処理を実行する（ステップＳ２０５）。この処理において、ＣＰＵ６６は、ステップＳ２０３の処理によりＲＡＭ７０に記録された時間データと、ステップＳ２０４の処理により参照された認証情報テーブルと、に基づいて、認証情報を決定し、その固有情報をＲＡＭ６６に記録する。本ステップが終了した場合には、ステップＳ２０６に処理を移す。
【０１４３】
次いで、パチンコ遊技機１０では、情報照合処理を実行する（ステップＳ２０６）。この処理において、ＣＰＵ６６は、ステップＳ２０２の処理によりＲＡＭ７０に記録された固有情報と、ステップＳ２０６の処理によりＲＡＭ７０に記録された認証情報と、の照合を実行することとなる。尚、本実施形態においては、照合処理を一回行うロック装置を用いたが、本発明はこれに限らず、所定回数照合を行うものであってもよい。本ステップが終了した場合には、ステップＳ２０７に処理を移す。
【０１４４】
次いで、パチンコ遊技機１０では、照合が正常に行われたか否かを判断する（ステップＳ２０７）。この処理において、ＣＰＵ６６は、ステップＳ２０６の処理により、照合が正常に行われたと判別した場合には、ステップＳ２０８に処理を移し、照合が正常に行われたと判別しなかった場合には、本サブルーチンを終了させる。
【０１４５】
パチンコ遊技機１０では、ステップＳ２０７において、照合が正常に行われたと判別した場合には、ロック施錠、若しくは、ロック解錠処理を実行する（ステップＳ２０８）。この処理において、ＣＰＵ６６は、上述した如く、入出力バス６４、インターフェイス回路群７２を介して、ソレノイド１３０に、施錠及び／又は解錠信号を供給する。これにより、被ロック部１１２は、扉１０４を本体部１０２に対して施錠若しくは解錠可能とするのである。本ステップが終了した場合には、本サブルーチンを終了させる。
【０１４６】
上述したステップＳ１０２からステップＳ１０６、ステップＳ２０１からステップＳ２０６、及びステップＳ２０８の処理を行うことによって、上述したロックシステム遊技機は、「前記携帯型端末装置は、時間を算出する時間算出手段と、時間と当該時間において前記ロック装置の前記ロック機構を施錠若しくは解錠を行うための固有情報とが対応して設けられた固有情報テーブルを記憶する固有情報記憶手段と、前記時間算出手段により算出された時間と、前記固有情報記憶手段により記憶されている固有情報テーブルと、に基づいて、当該固有情報テーブルに含まれる複数の固有情報から、当該時間算出手段により算出された時間に対応する固有情報を決定する固有情報決定手段と、前記固有情報決定手段により決定された固有情報を前記ロック装置に供給する固有情報供給手段と、を備えたものであり、かつ、前記ロック装置は、時間と当該時間において照合を行うための認証情報とが対応して設けられた認証情報テーブルを記憶する認証情報記憶手段と、前記携帯型端末装置から供給された固有情報と、前記認証情報記憶手段により記憶された認証情報テーブルと、に基づいて、固有情報と認証情報とを照合する照合手段と、を備えたものであり、かつ、前記ロック装置における前記ロック機構は、前記ロック装置における前記照合手段により照合された結果に基づいて、前記装着体を前記本体に対して施錠若しくは解錠する機能を有する」ので、他の者にパスワード等の固有情報の入力操作を見られた場合であっても、その固有情報が無線通信により信号変換されるため、入力情報を知られることがなく、セキュリティが向上するのである。
【０１４７】
また、時間ごとに認証情報を変更させることとなるため、固有情報が一度知られた場合であっても、その時間帯を過ぎれば、再度異なる固有情報を入力しなければならず、より一層セキュリティを高めることができるのである。更には、携帯型端末装置においては、パスワード等の固有情報が記憶可能であるため、操作者が固有情報を覚えることなく、ロック装置の施錠若しくは解錠が可能となるため、どのような操作者であっても用いることができる。
【０１４８】
尚、ロック装置は、携帯型端末装置から供給された固有情報を受け取った時間に基づいて、その認証情報テーブルを参照してもよいが、携帯型端末装置から固有情報とともに時間情報が供給されることとしてもよい。
【０１４９】
即ち、前記ロック装置は、「時間を算出する時間算出手段と、当該時間算出手段により算出された時間と、前記認証情報テーブルと、に基づいて、当該認証情報テーブルに記憶された認証情報のうちから、当該時間算出手段により算出された時間に対応する認証情報を決定する認証情報決定手段と、を備え、前記照合手段は、前記携帯型端末装置から供給された固有情報と、前記認証情報決定手段により決定された認証情報と、を照合する機能」を有してもよく、前記携帯型端末装置は、「前記携帯型端末装置における前記固有情報供給手段は、前記固有情報決定手段により決定された固有情報とともに、前記時間算出手段により算出された時間を前記ロック装置に供給する機能」を有してもよい。
【０１５０】
また、「前記携帯型端末装置は、携帯電話機である」ので、多くの操作スイッチを用いることにより、複雑な操作も可能となる。また、電波を発する、光を発する、赤外線を発する等、様々な無線通信を可能とするものであり、簡便である。更には、メール機能等を用いて固有情報の記憶を行うことが可能であるだけでなく、音声を受信することにより、受信された音声を音声認識し、固有情報の記憶を行うことも可能であり、簡便である。
【０１５１】
更には、「前記ロック装置は、遊技機である」ので、遊技機に内蔵された制御基板等に改造を施す、遊技機に内蔵された遊技球、遊技メダル、硬貨、紙幣等の遊技媒体を取り出す等、様々なゴト行為を防止することができる。
【０１５２】
また、実際には、管理サーバ８０を用いることなく、携帯型端末装置９６に固有情報の登録を行い、パチンコ遊技機１０に認証情報の登録を行ってもよいが、この管理サーバ８０を用いることにより、携帯型端末装置９６、パチンコ遊技機１０に対して、直接操作することなく、集中管理ができ、遊技場の管理者は素早い対応ができ、不正をしている遊技者を捕まえるケースが増加する。
【０１５３】
更には、上述した如く、管理サーバ８０を用いることなく、携帯型端末装置９６に固有情報の登録を行う場合には、予め、パスワード等を音声入力しておき、その音声入力の結果を記憶し、更にはその音声入力の結果から音声認識を行い、パスワードを登録してもよい。
【０１５４】
即ち、「音声情報の入力を行うための音声入力手段と、当該音声入力手段により入力された結果を音声情報として記憶する音声情報記憶手段と、当該音声情報記憶手段により記憶された音声情報を音声認識する音声認識手段と、を備え」、「前記固有情報記憶手段は、当該音声認識手段により音声認識された結果に基づいて固有情報を記憶するもの」として用いることも可能となる。これにより、煩雑な入力操作も必要なく、簡便である。
【０１５５】
尚、本実施形態においては、扉１０４を本体部１０２に軸着したパチンコ遊技機１０であったが、本発明はこれに限らず、軸着されなくとも、装着されておればよく、更には、着脱可能に装着されているものであってもよい。例えば、リサイクル用に製造された遊技機においては、交換可能なユニットが装着されており、それらのユニットを施錠し、そのユニットの解錠や、本体部からの開放、を検知するものであってもよく、もちろん、リサイクル用でなくとも、施錠、若しくは、開放を検知するものであればよい。
【０１５６】
また、本実施形態においては、本体部１０２の前面のうちほぼ全てを覆う扉１０４の解錠、若しくは、開放を検知したが、本発明はこれに限らず、本体部の前面を覆うものでなくともよく、更には、ある面の一部を覆うようなものであってもよい。
【０１５７】
更には、本実施形態においては、管理サーバ８０から、パチンコ遊技機１０に認証情報が有線通信を介して供給され、更には、携帯型端末装置９６に固有情報が無線通信を介して供給されたが、本発明はこれに限らず、有線通信、無線通信を問わない。
【０１５８】
更にまた、本実施形態においては、一日単位にパスワードを設定したが、本発明はこれに限らず、時のある一点としての時間だけでなく、時の長さである期間を含めばよく、所定の周期に区切られた時間帯であり、一定周期に区切られるものと、一定周期に区切られないものと、を問わず、例えば、１時間、半日、１日、２日、１週間、１ヶ月等、一種類の周期に区切られるもの、複数種類の周期に区切られるもの、様々な態様が該当する。
【０１５９】
【発明の効果】
本発明によれば、「前記携帯型端末装置は、時間を算出する時間算出手段と、時間と当該時間において前記ロック装置の前記ロック機構を施錠若しくは解錠を行うための固有情報とが対応して設けられた固有情報テーブルを記憶する固有情報記憶手段と、前記時間算出手段により算出された時間と、前記固有情報記憶手段により記憶されている固有情報テーブルと、に基づいて、当該固有情報テーブルに含まれる複数の固有情報から、当該時間算出手段により算出された時間に対応する固有情報を決定する固有情報決定手段と、前記固有情報決定手段により決定された固有情報を前記ロック装置に供給する固有情報供給手段と、を備えたものであり、かつ、前記ロック装置は、時間と当該時間において照合を行うための認証情報とが対応して設けられた認証情報テーブルを記憶する認証情報記憶手段と、前記携帯型端末装置から供給された固有情報と、前記認証情報記憶手段により記憶された認証情報テーブルと、に基づいて、固有情報と認証情報とを照合する照合手段と、を備えたものであり、かつ、前記ロック装置における前記ロック機構は、前記ロック装置における前記照合手段により照合された結果に基づいて、前記装着体を前記本体に対して施錠若しくは解錠する機能を有する」ので、他の者にパスワード等の固有情報の入力操作を見られた場合であっても、その固有情報が無線通信により信号変換されるため、入力情報を知られることがなく、セキュリティが向上する。また、時間ごとに認証情報を変更させることとなるため、固有情報が一度知られた場合であっても、その時間帯を過ぎれば、再度異なる固有情報を入力しなければならず、より一層セキュリティを高めることができる。
【図面の簡単な説明】
【図１】ネットワークを介してサーバと遊技機とが接続された構成とした場合における概略を示す図である。
【図２】本発明によるパチンコ遊技機の概観図である。
【図３】本発明によるパチンコ遊技機の遊技盤面の拡大正面図である。
【図４】本発明によるパチンコ遊技機の概観図である。
【図５】本発明によるパチンコ遊技機の主制御回路のブロック図である。
【図６】本発明によるパチンコ遊技機において記録されているデータベースを示す概略図である。
【図７】本発明による端末装置の主制御回路のブロック図である。
【図８】本発明による携帯型端末装置において記録されているデータベースを示す概略図である。
【図９】本発明によるサーバの主制御回路のブロック図である。
【図１０】本発明によるサーバにおいて記録されているデータベースを示す概略図である。
【図１１】本発明によるサーバにおいて記録されているデータベースを示す概略図である。
【図１２】本発明によるサーバにおいて記録されているデータベースを示す概略図である。
【図１３】本発明によるパチンコ遊技機、サーバ、端末装置等において実行される制御処理のフローチャートを示す図である。
【符号の説明】
１０　パチンコ遊技機
１２　本体枠
１４　遊技盤
１６　窓枠
２０　上皿
２２　下皿
２６　発射ハンドル
２８　発射モータ
２９　タッチセンサ
３０　ガイドレール
３１　受光窓
３２　表示装置
３４　保留ランプ
３６　装飾ランプ
３７、９２　局番号スイッチ
３８　大入賞口
４０　シャッタ
４２　球検知センサ
４４　始動口
４６　スピーカ
４８、５７、１３０　ソレノイド
５０、５４　一般入賞口
５２　表示装置
５３　排出口
５５　球通過検出器
５６　特別入賞口
５８　可動片
５９　転動誘導部材
６０　主制御回路
６２、７２　インターフェイス回路群
６４、９４、２１６　入出力バス
６５　乱数発生部
６６、８２、２０２　ＣＰＵ
６８、８４、２０４　ＲＯＭ
６９、２０６　ＥＰＲＯＭ
７０、８６、２０８　ＲＡＭ
７４、９０、２１４　通信用インターフェイス回路
８０　管理サーバ
８８　ハードディスクドライブ
９４　入出力バス
９６　携帯型端末装置
１０２　本体部
１０４　扉
１０６　ロック機構
１０８　凹部
１１０　ロック片
１１２　被ロック部
１３２　受光センサ
２００　表示制御装置
２１０　表示部
２１２　操作部
２１８　発光素子
【図１】
2004105552.tif 000003
【図２】
2004105552.tif 000004
【図３】
2004105552.tif 000005
【図４】
2004105552.tif 000006
【図５】
2004105552.tif 000007
【図６】
2004105552.tif 000008
【図７】
2004105552.tif 000009
【図８】
2004105552.tif 000010
【図９】
2004105552.tif 000011
【図１０】
2004105552.tif 000012
【図１１】
2004105552.tif 000013
【図１２】
2004105552.tif 000014
【図１３】
2004105552.tif 000015